(57)【要約】【課題】扱いやすく、かつ、いろいろな分野で利用し応用できるブラシを提供することを目的とする。【解決手段】本考案に係るブラシ１は、平板形状に形成されたベース体３と、ベース体３の一面に垂直方向に植設してなる先鋭歯体５，５，…と、ベース体３の他面に所定把持形状に形成されかつ指を挿入可能な装着孔７ａを形成してなる把手部７とを備え、各先鋭歯体５，５，…は、円錐形状に形成されていて、当該円錐形状の太径部がベース体３側に設られ、当該円錐形状外周面に突部構造５ａを形成してなるものである。【選択図】　　　　図２
0003098247.tif 000002
【実用新案登録請求の範囲】
【請求項１】
平板形状に形成されたベース体と、前記ベース体の一面に垂直方向に植設してなる先鋭歯体と、前記ベース体３の他面に所定把持形状に形成されかつ指を挿入可能な装着孔を形成してなる把手部とを備え、
前記先鋭歯体は、円錐形状に形成されていて、当該円錐形状の太径部が前記ベース体側に設られ、かつ、当該円錐形状外周面に突部構造を形成してなることを特徴とするブラシ。
【請求項２】
前記ベース体、先鋭歯体及び把手部は、天然ゴム、合成ゴム、シリコンゴムあるいはエラストマー、その他の素材により一体的に形成されたものであることを特徴とする請求項１記載のブラシ。
【請求項３】
前記先鋭歯体の外周面の突部構造は、円錐形状外周面に同心状凸部を円錐形状中心軸方向に複数層設け、円錐形状外周面に螺旋状凸部を円錐形状中心軸方向に設け、あるいは、円錐形状外周に複数の突起を円錐形状中心軸方向及び周方向に多数設けてなるものであることを特徴とする請求項１記載のブラシ。
【請求項４】
前記把手部は、人指し指、中指及び薬指が挿入される大きさの装着孔に形成されていることを特徴とする請求項１記載のブラシ。
【請求項５】
前記把手部は、所定な長さで所定の厚みの角柱状に形成されていて、当該角柱状部分が掴持可能な形状に成形されてなるものであることを特徴とする請求項１記載のブラシ。
【考案の詳細な説明】
【０００１】
【考案の属する技術分野】
本考案は、マッサージや洗髪や抜け毛取りに好適なブラシに関するものである。また、本考案は、例えば犬や猫など愛玩動物の毛並み手入れなどに使用しても好適なブラシに関するものである。
【０００２】
【従来技術】
従来、この種のブラシは、把持部を兼ねたベース体の一面にブリッスル（剛毛）を当該ベース体の一面に対して垂直方向に植設してなるものが提供されている。かかる従来のブラシは、種々の分野に利用されている。
図１０は、従来のブラシを示す斜視図である。この図１０に示すように、従来のブラシ１０１は、ベース体１０３の一面にブリッスル（剛毛）１０５，１０５，…を当該ベース体１０３の一面に対して垂直方向に多数植設して構成されている。また、従来のブラシ１０１は、ベース体１０３が把持部１０７を兼ねている。
このような従来のブラシ１０１によれば、把持部１０７を手で持ち、洗浄面にブリッスル１０５，１０５，…の毛先を当接させ、把持部１０７を介してブリッスル１０５，１０５，…の毛先に圧力を加えつつ洗浄面を擦ることにより、洗浄面の洗浄を行うことができる。
【０００３】
【考案が解決しようとする課題】
このような従来のブラシにあっては、次のような問題点があった。
（１）かかる従来のブラシは、ベース体が剛構造体であるため、洗浄面の感触を手に伝えることができないという欠点があった。
（２）かかる従来のブラシは、ベース体が剛構造体であるため、洗浄面に応じてベース体を変形させることができないという欠点があった。
（３）かかる従来のブラシは、ベース体に多数の直線状のブリッスルが植設されているだけであるため、例えば抜け毛などを絡み取ることができないという欠点があった。
（４）かかる従来のブラシは、ベース体に多数の直線状のブリッスルが植設されているだけであるため、経過時間にしたがってブリッスルが抜け落ちてしまうという欠点があった。
（５）かかる従来のブラシは、ベース体を把持するだけであるので、取り扱い難いという欠点があった。
本考案は、上述した従来技術の欠点を解消し、扱いやすく、かつ、いろいろな分野で利用し応用できるブラシを提供することを目的とする。
【０００４】
【課題を解決するための手段】
上記目的を達成するた、請求項１の考案に係るブラシは、平板形状に形成されたベース体と、前記ベース体の一面に垂直方向に植設してなる先鋭歯体と、前記ベース体３の他面に所定把持形状に形成されかつ指を挿入可能な装着孔を形成してなる把手部とを備え、前記先鋭歯体は、円錐形状に形成されていて、当該円錐形状の太径部が前記ベース体側に設られ、かつ、当該円錐形状外周面に突部構造を形成してなることを特徴とするものである。
請求項２の考案は、本願請求項１に係るブラシにおいて、前記ベース体、先鋭歯体及び把手部は、天然ゴム、合成ゴム、シリコンゴムあるいはエラストマー、その他の素材により一体的に形成されたものであることを特徴とするものである。
請求項３の考案では、本願請求項１に係るブラッシにおいて、前記先鋭歯体の外周面の突部構造は、円錐形状外周面に同心状凸部を円錐形状中心軸方向に複数層設け、円錐形状外周面に螺旋状凸部を円錐形状中心軸方向に設け、あるいは、円錐形状外周に複数の突起を円錐形状中心軸方向及び周方向に多数設けてなるものであることを特徴とするものである。
請求項４の考案では、本願請求項１に係るブラッシにおいて、前記把手部は、人指し指、中指及び薬指が挿入される大きさの装着孔に形成されていることを特徴とするものである。
請求項５の考案では、本願請求項１に係るブラッシにおいて、前記把手部は、所定な長さで所定の厚みの角柱状に形成されていて、当該角柱状部分が掴持可能な形状に成形されてなるものであることを特徴とするものである。
【０００５】
【考案の実施の形態】
以下、本考案の実施の形態について図面を参照して以下に詳細に説明する。
図１ないし図５は本考案の実施の形態に係るブラシを説明するための図である。ここに、図１は、本考案の実施の形態に係るブラシを、把手部を上にして示す斜視図である。図２は、本考案の実施の形態に係るブラシを、先鋭歯体を上にして示す斜視図である。図３は、本考案の実施の形態に係るブラシを示す断面図である。
【０００６】
図４は、本考案の実施の形態に係るブラシを、把手部の装着孔に指を入れた状態による使用状態を示す斜視図である。図５は、本考案の実施の形態に係るブラシを、把手部を掴んで状態による使用状態を示す斜視図である。
これらの図において、本考案の実施の形態に係るブラシ１は、平板形状に形成されたベース体３と、前記ベース体３の一面に垂直方向に植設してなる先鋭歯体５，５，…と、前記ベース体３の他面に所定把持形状に形成されかつ指を挿入可能な装着孔７ａを形成してなる把手部７とを備え、これらが一体成形されてなるものである。
【０００７】
さらに詳説すると、本考案の実施の形態に係るブラシ１では、前記先鋭歯体５は、図１ないし図３に示すように、円錐形状に形成されており、かつ、当該円錐形状の太径部が前記ベース体５の一面側に位置するように設られ、かつ当該円錐形状外周面に突部構造５ａを形成してなるものである。前記先鋭歯体５，５，…の各外周面の突部構造５ａは、この実施の形態では、図２及び図３に示すように円錐形状外周面に同心状凸部を円錐形状中心軸方向に５層に設けている。
【０００８】
また、本考案の実施の形態に係るブラシ１では、前記把手部７は、図１、図２及び図３に示すように、所定な長Ｌさで所定の厚みＤで所定の幅Ｗの中空角柱状に形成されていて、当該中空角柱状部分の外周部が丸みを帯びた掴持可能な形状に成形されている（図５参照）。
また、前記把手部７は、図１ないし図４に示すように、人指し指、中指及び薬指が挿入される大きさの装着孔７ａに形成されている。
【０００９】
また、前記ベース体３、先鋭歯体５，５，…及び把手部７は、天然ゴム、合成ゴム、シリコンゴムあるいはエラストマー、その他の素材により一体的に形成されている。この場合、前記各素材は、硬度４０°〜硬度６０°程度のものを使用することが望ましい。
なお、上記各素材に、トルマリン、ゲルマニウム、ライトストーン（石英）などを粒子状にして練り込むことによって、マイナスイオンを発生させることができる。また、上記各素材に、抗菌剤や芳香剤などの成分を練り込むことによって、抗菌性能のなるブラシ１を得ることができ、あるいは、芳香を放つブラシ１をえることができる。
【００１０】
このようなブラシ１は、例えば図４に示すように、把手部７の装着孔７ａに、人指し指、中指及び薬指を挿入し、例えばマッサージする部分や、洗髪する部分、あるいは、抜け毛取りする部分に前記先鋭歯体５，５，…の側を当接し、擦ることにより、マッサージ効果を与え、洗髪をし、あるいは、抜け毛取りをすることができる。
本考案の実施の形態に係るブラシ１によれば、図４に示すように、人指し指、中指及び薬指を根元まで把手部７の装着孔７ａに差し込むことによって、手のひらにスッキリと納まり、なおかつ指先の間隔を残しながら加減してマーサージなどすることができる。
【００１１】
また、本考案の実施の形態に係るブラシ１によれば、図４に示すように、人指し指、中指及び薬指を根元まで把手部７の装着孔７ａに差し込むことによって、前記ベース体３が中指を中心に円形状に反り返り、先鋭歯体５，５，…が中指を中心として放射状に向くことになり、頭髪または皮膚に対して滑り易くなる。
さらに、本考案の実施の形態に係るブラシ１によれば、図４に示すように、人指し指、中指及び薬指を根元まで把手部７の装着孔７ａに差し込むことができるため、握力のない人でも確実にブラシ１を持つことができ、頭髪などに刺激を与えることができる。
【００１２】
加えて、本考案の実施の形態に係るブラシ１によれば、図４に示すように、人指し指、中指及び薬指を根元まで把手部７の装着孔７ａに差し込むことができるため、手から離れずらく、また、図５に示すように把手部７の外周部を把持するなど自由な持ち方ができる。
また、本考案の実施の形態に係るブラシ１によれば、先鋭歯体５，５，…に突部構造５ａが設けてあるので、抜け毛が絡み易く、確実に抜け毛を取り除くことができる。
【００１３】
図６は、本考案の実施の形態に係るブラシで使用される先鋭歯体の他の構成例を示す図であって、図６（Ａ）は円錐形状外周面に同心状凸部を円錐形状中心軸方向に４層設けた例を、図６（Ｂ）は円錐形状外周面に螺旋状凸部を円錐形状中心軸方向に設けた例を、図６（Ｃ）は円錐形状外周に複数の突起を円錐形状中心軸方向及び周方向に多数設けた例を、図６（Ｄ）は先鋭歯体に突部構造を設けない例を、それぞれ示したものである。
【００１４】
まず、上記ブラシ１において、前記各先鋭歯体５，５，…としては、図６（Ａ）に示すような円錐形状外周面に同心状凸部５ａａ，５ａａ，…を円錐形状中心軸方向に４層設けたものを使用してもよいし、図６（Ｂ）に示すような円錐形状外周面に螺旋状凸部５ａｂを円錐形状中心軸方向に設けたものを使用してもよいし、図６（Ｃ）に示すように円錐形状外周に複数の突起５ａｃ，５ａｃ，…を円錐形状中心軸方向及び周方向に多数設けたものを使用してもよい。
なお、図６（Ｄ）は、ブラシ１において、突部構造５ａを設けない先鋭歯体５’，５’，…の例を示したものである。
【００１５】
図７は、本考案の他の実施の形態に係るブラシを示す斜視図である。この図７において、本考案の他の実施の形態に係るブラシ１Ａは、前記ベース体３の所定の面積内に、突部構造５ａを有する先鋭歯体５，５，…を、図１ないし図３のブラシ１よりも多く設けたものである。
本考案の他の実施の形態に係るブラシ１Ａによっても、上述した実施の形態と同様の作用効果を奏する。また、本考案の他の実施の形態に係るブラシ１Ａでは、上記ブラシ１より先鋭歯体５，５，…が単位面積当たり多く設けられていることから、先鋭歯体５，５，…が多いほうが好ましい用途に最適である。
【００１６】
図８及び図９は本考案の実施の形態に係るブラシ１あるいは本考案の他の実施の形態に係るブラシ１Ａに装着する清掃シートを説明するための図である。
ここに、図８は本考案に係るブラシに清掃シートを装着あるいは外した状態を示す斜視図である。図９は、本考案に係るブラシに清掃シートを装着した状態を示す断面図である。
【００１７】
前記清掃シート２１は、天然ゴム、合成ゴム、シリコンゴムあるいはエラストマーや、プラスチックや、所定の処理紙などのシート状部材２３に対して、図８に示すように前記ブラシ１（または１Ａ）のベース体３に植設された各先鋭歯体５，５，…の配置位置と同一位置に挿入孔２５，２５，…を穿設し、かつ、シート全体としてベース体３の外形形状とほぼ同じ大きさに形成されている。
このような清掃シート２１は、図８に示すように、挿入孔２５，２５，…の位置を先鋭歯体５，５，…の位置に合致させて、先鋭歯体５，５，…を前記挿入孔２５，２５，…に挿入する。これにより、清掃シート２１は、図９に示すように、先鋭歯体５，５，…の根元（ベース体３の直上）に配置される。
【００１８】
このような図９に示す状態でブラシ１（１Ａ）を使用すると、抜け毛が先鋭歯体５，５，…の突部構造５ａによって巻き取られる。当該ブラシ１（１Ａ）を抜け毛取りなどで使用した後は、先鋭歯体５，５，…の根元にあった清掃シート２１をブラシ１（１Ａ）から図８の下方に向けて取り外すと、抜け毛などは先鋭歯体５，５，…から清掃シート２１の表面上に抜け毛が残ることになる。
このようにして本考案に係るブラシ１（１Ａ）は使用でき、次のような利点がある。
【００１９】
（１）本考案に係るブラシは、ベース体が柔軟構造体であるため、洗浄面の感触を手に伝えることができる。
（２）本考案に係るブラシは、ベース体が柔構造体であるため、洗浄面に応じてベース体を変形させて使用することができ、洗浄効果、マッサージ効果など有効に作用させることができる。
（３）本考案に係るブラシは、ベース体に円錐形状の先鋭歯体を多数植設し、かつ、前記先鋭歯体の円錐形状の表面に突部構造を設けてあるため、例えば抜け毛やほこりなどを有効に絡み取ることができる。
（４）本考案に係るブラシは、ベース体に円錐形状の先鋭歯体を多数植設し、かつ、前記先鋭歯体の円錐形状の表面に突部構造を設けた構造であるため、時間経過に伴っても先鋭歯体の作用がなくなることがない。
（５）本考案に係るブラシは、ベース体の他面に、指を挿入できる装着孔を設けた把手部を設けてあるので、装着孔に指を挿入して使用し、あるいは、把手部の外周部を掴み使用することができるため、取り扱が容易である。
【００２０】
本考案の実施の形態や他の実施の形態に係るブラシは、上記説明では、人に対するマッサージ、洗髪あるいは抜け毛取りを主に説明したが、これに限定されるものではなく、例えば犬や猫など愛玩動物の毛並み手入れ、マッサージあるいは洗浄や、牛や馬など飼育動物の毛並み手入れマッサージなどにも当然使用することができる。
【００２１】
【考案の効果】
以上説明したように本考案に係るブラシは、上述したような構造をしているので、次のような効果がある。
（１）本考案に係るブラシは、ベース体が柔軟構造体であるため、洗浄面の感触を手に伝えることができる。
（２）本考案に係るブラシは、ベース体が柔構造体であるため、洗浄面に応じてベース体を変形させて使用することができ、洗浄効果、マッサージ効果など有効に作用させることができる。
（３）本考案に係るブラシは、ベース体に円錐形状の先鋭歯体を多数植設し、かつ、前記先鋭歯体の円錐形状の表面に突部構造を設けてあるため、例えば抜け毛やほこりなどを有効に絡み取ることができる。
（４）本考案に係るブラシは、ベース体に円錐形状の先鋭歯体を多数植設し、かつ、前記先鋭歯体の円錐形状の表面に突部構造を設けた構造であるため、時間経過に伴っても先鋭歯体の作用がなくなることがない。
（５）本考案に係るブラシは、ベース体の他面に、指を挿入できる装着孔を設けた把手部を設けてあるので、装着孔に指を挿入して使用し、あるいは、把手部の外周部を掴み使用することができるため、取り扱が容易である。
【図面の簡単な説明】
【図１】本考案の実施の形態に係るブラシを、把手部を上にして示す斜視図である。
【図２】本考案の実施の形態に係るブラシを、先鋭歯体を上にして示す斜視図である。
【図３】本考案の実施の形態に係るブラシを示す断面図である。
【図４】本考案の実施の形態に係るブラシを、把手部の装着孔に指を入れた状態による使用状態を示す斜視図である。
【図５】本考案の実施の形態に係るブラシを、把手部を掴んで状態による使用状態を示す斜視図である。
【図６】本考案の実施の形態に係るブラシで使用される先鋭歯体の他の構成例を示す図である。
【図７】本考案の他の実施の形態に係るブラシを示す斜視図である。
【図８】本考案に係るブラシに清掃シートを装着あるいは外した状態を示す斜視図である。
【図９】本考案に係るブラシに清掃シートを装着した状態を示す断面図である。
【図１０】従来のブラシを示す斜視図である。
【符号の説明】
１，１Ａ　ブラシ
３　ベース体
５　先鋭歯体
５ａ，５ａａ，５ａｂ，５ａｃ　突部構造
７　把手部
７ａ　装着孔
【図１】
0003098247.tif 000003
【図２】
0003098247.tif 000004
【図３】
0003098247.tif 000005
【図４】
0003098247.tif 000006
【図５】
0003098247.tif 000007
【図６】
0003098247.tif 000008
【図７】
0003098247.tif 000009
【図８】
0003098247.tif 000010
【図９】
0003098247.tif 000011
【図１０】
0003098247.tif 000012